(57)【要約】【課題】布団の販売業者と大型百貨店舗及び運送業者とが協力し、簡易な方法で布団を無料回収する。【解決手段】家庭内において不要となった布団を回収可能としたもので、店舗または大型店舗の店頭において布団を包装する回収袋を頒布する回収袋配布手段と、依頼受付の情報の記入欄を有し、この回収袋に貼付する依頼伝票と、管理会社または集荷業者に電話・電子情報伝達などにより布団の引取りを連絡する集荷伝達手段と、連絡を受けた管理会社または集荷業者により布団を収納した前記回収袋を回収する回収搬送手段と、回収された回収袋から取り出した布団を管理会社によってリサイクル処理する処理手段とを備え、店頭で布団の回収希望者が依頼したときに業者が依頼伝票に所定事項を記入して顧客に手渡し、集荷業者に連絡して布団を回収する布団回収システムの構成である。【選択図】          図１
2004175537.tif 000002
【特許請求の範囲】
【請求項１】
店舗または大型店舗の店頭において布団を包装する回収袋を頒布する回収袋配布手段と、
依頼受付の情報の記入欄を有し、前記回収袋に貼付する依頼伝票と、
管理会社または集荷業者に電話・電子情報伝達などにより布団の引取りを連絡する集荷伝達手段と、
連絡を受けた管理会社または集荷業者により布団を収納した前記回収袋を回収する回収搬送手段と、
回収された回収袋から取り出した布団を管理会社によってリサイクル処理する処理手段と、
を備え、受付窓口で担当者が前記依頼伝票に依頼者の住所氏名等の所定事項を記入して布団の回収希望者に手渡し、この回収希望者が回収袋と前記依頼伝票ととを集荷業者に手渡し、布団の回収することを特徴とする布団回収システム。
【請求項２】
店舗において布団を購入した際に前記依頼伝票とともに回収袋を配布することを特徴とする請求項１に記載の布団回収システム。
【請求項３】
前記集荷業者において回収袋内の布団を纏めて管理会社に届けることを特徴とする請求項１または請求項２に記載の布団回収システム。
【発明の詳細な説明】
【０００１】
【発明の属する技術分野】
この発明は、家庭内において不要となった布団を簡易に回収することができる布団回収システムに関する。
【０００２】
【従来の技術】
日本の家庭内においては西洋の国々で愛用されているベッドと相違し、室内を有効に使用するために寝具などが床上に放置されていることは無く、寝具を収納する押入れ等が多く利用されている。また、これら寝具のうち布団は夏物、冬物用として気候の四季に応じた寝具が利用されるのが一般的である。
しかし、布団は長期間使用していると、汚れもひどくなり、カバーの汚染は醜いものとなっていた。また、布団の中に充填されている綿は長期間の使用により湿気を含み、内部に含まれた空気層が無くなり弾力性の無いものになっていた。
このように布団は余り長期間使用できるものではなく、新しい布団に買い換えることが行なわれている。不要な布団は産業廃棄物などとともに廃品回収や公共の処理業者により有料で回収されている。
この産業廃棄物などの不要品の回収システムとして引越しや企業の倒産などにより発生する大量の品物を有料で回収するシステムが知られている（特許文献１）。
【０００３】
【特許文献１】特開２００２−２６９２２５号公報
【０００４】
【発明が解決しようとする課題】
家庭においては不要な布団は邪魔であり、収容場所にも困窮している状態であった。そのため、粗大ゴミとして空地や川原などに棄てられていた。また、業者による不要の布団を有料で回収することも行なわれている。しかし、粗大ゴミとして放置されれば環境汚染となっており、業者による回収もリサイクル処理の充分な処理がおこなわれていない。また、前記特許文献１のように有料で大量に回収する方法は、個人の家庭における１個の布団などの回収には適しておらず、これらの手続が煩雑であった。
【０００５】
本発明は、このような従来の問題点を解決するために、面倒な手続を必要とせず、簡易に布団の回収を無料により引き取る回収システムを提供することである。本発明の他の課題は、布団の販売業者と大型百貨店舗及び運送業者とが協力し、簡易な方法で布団を無料回収する布団回収システムを提供することである。
【０００６】
【課題を解決するための手段】
この発明の前記課題は、家庭内において不要となった布団を回収可能とした布団回収システムにおいて、店舗または大型店舗の店頭において布団を包装する回収袋を頒布する回収袋配布手段と、依頼受付の情報の記入欄を有し、この回収袋に貼付する依頼伝票と、受付窓口で担当者が前記依頼伝票に依頼者の住所氏名等の所定事項を記入し、管理会社または集荷業者に電話・電子情報伝達などにより布団の引取りを連絡する集荷伝達手段と、連絡を受けた管理会社または集荷業者により布団を収納した前記回収袋を回収する回収搬送手段と、回収された回収袋から取り出した布団を管理会社によってリサイクル処理する処理手段とを備え、受付窓口で担当者が前記依頼伝票に依頼者の住所氏名等の所定事項を記入して布団の回収希望者に手渡し、この回収希望者が回収袋と前記依頼伝票とを集荷業者に手渡し、布団の回収する布団回収システムの構成で達成できる。
【０００７】
本発明の前記課題は大型店舗、コンビニエンス店舗などの店頭において布団を購入した際に前記依頼伝票とともに回収袋を配布する構成、または前記集荷業者において回収袋内の布団を纏めて管理会社に届ける構成の布団回収システムによって達成できる。
【０００８】
本発明の布団回収システムは、店頭や大型百貨店等で無料で配布される回収袋と集荷伝票などの依頼伝票とを受け取り、所定事項を依頼伝票に記入して、管理会社または契約運送会社に電話または電子情報伝達手段であるインターネットによる集荷伝達手段により連絡して集荷手続を行ない、運送会社によって管理会社に届け、リサイクル処理及び焼却処理及び灰処理を行なうから家庭における無駄な収容スペースを必要とせず。しかも簡易な手続により無料で不要な布団を処分することができる。
【０００９】
また、本発明の布団回収システムは、回収された布団を専門業者の管理会社によてリサイクル処理することができるから資源の還元ができ、従来問題となっていた環境汚染も解決することが出来る。
【００１０】
【発明の実施形態】
本発明の布団回収システムについて図面に示される実施形態に基づいて説明する。
図１は本発明の布団回収システムの１実施形態を示す基本原理を示すブロック図である。図２は本発明の布団回収システムに使用する注文受付票の実施形態の概略図である。図３は本発明の布団回収システムの１実施形態のフロー図である。図４は本発明布団回収システムのデータベースの構成表である。
【００１１】
大型店舗や小売店頭において、顧客は無料で配布される回収袋を持ち帰り、またはインターネットで申込み、回収袋（郵送代金は実費）を受け取り、添付される依頼伝票に所定事項、例えば、住所、氏名、電話番号を記入する。この依頼伝票の記入は、店舗などにおける窓口、担当者が依頼人から聞きだして記入する。これは後日問題になったときの連絡先として記入する。また、このときに布団の種類、例えば羽毛、羊毛、綿や合成綿（合繊）などを記載しておくと、後処理に際して非常に便利である。この依頼伝票や回収袋にバーコード表などを添付して管理用に使用する。
【００１２】
回収袋を受け取った家庭において、不要となった布団を回収袋に収納し、依頼伝票に印刷してある管理会社または集荷業者に集荷伝達手段によって連絡する。この場合電話やインターネットによって依頼することができる。依頼を受け付けた管理会社及び集荷業者は運送会社（例えば，宅配業者）に委託して依頼者の住所などにより家庭を訪問して集荷作業を行い、回収袋を回収する。これを管理会社において着荷処理を行なう。
【００１３】
管理会社は、着荷した回収袋より布団を取り出し、内容を検査して、種類別、傷み具合などにより回収した布団の仕分けを行なう。リサイクル処理するもの、リサイクル不可能な布団は焼却処理する。この回収袋や不要となった依頼伝票など管理番号を付しておくことにより、この管理番号は販売店における在庫管理や、回収後のリサイクル管理に用いる。
【００１４】
例えば、この管理番号によって、管理会社は顧客情報を記憶し、爾後の販売戦略に利用する。また、着荷日、総重量などのデータ蓄積に役立てる。その他、販売店ごとの出荷日、やリサイクル処理における廃棄処理日、焼却処理委託日、焼却処理業者管理などに利用する。
このように記入された依頼伝票の顧客情報のみではなく、日付ごとの処理量や一定期間内の累計処理に使用して。地域別の回収情況の分析により販売戦略を構築することができる。
【００１５】
図３の実施形態について詳細に説明する。
布団販売店の各店舗（大型百貨店、コンビニエンスストアー）に設置してある依頼伝票に担当者が書誌事項を記入し、顧客はこの依頼伝票と共に布団回収袋を持ち帰り、回収袋に不要の布団を収納し、集荷代行センターに電話、インターネットなどにより通信で連絡する。集荷代行センターより連絡を受けた運送業者が布団の回収を行なう。回収した布団入り回収袋を集荷代行センターを経て、管理会社に発送して、着荷処理が行なわれる。管理会社において、回収した布団の状態により、リサイクル処理又は焼却処理及び灰処理を行なう。この焼却処理に際しては焼殻処理業者に委託して行うこともできる。
【００１６】
【発明の効果】
本発明の布団回収システムは、無料で頒布された回収袋を利用し、電話連絡や、店頭等における受付により、簡易な手続により不要の布団を処分することができ、また、経済的な負担もなく処理することができる。
【図面の簡単な説明】
【図１】本発明の布団回収システムの１実施形態の基本原理を示すブロック図である。
【図２】本発明の布団回収システムに使用する注文受付票の実施形態の概略図である。
【図３】本発明布団回収システムのデータベースの構成表である本発明の布団回収システムの流を示すブロック図である。
【図４】本発明布団回収システムのデータベースの構成表である。
【図１】
2004175537.tif 000003
【図２】
2004175537.tif 000004
【図３】
2004175537.tif 000005
【図４】
2004175537.tif 000006